(57)【要約】【課題】除湿ロータの価格を下げつつ除湿効率を向上させた除湿ロータ及びそれを用いた除湿装置を提供しようとするものである。【解決手段】ハニカム状に形成されたシートに湿気吸着剤を担持させ、ハニカム状の除湿ロータ１の一方端から他方端に向かってシート単位面積当たりの湿気吸着剤３の担持量が増加するようにした。また除湿装置は除湿ロータ１の他方端に近接してヒータを設け、除湿ロータ１の他方端にヒータの輻射熱が加わるようにした。【選択図】  図１
2005013903.tif 000002
【特許請求の範囲】
【請求項１】
ハニカム状に形成されたシートに湿気吸着剤の担持されたものであって、一方端から他方端に向かってシート単位面積当たりの前記吸着剤の担持量が増加するようにした除湿ロータ。
【請求項２】
湿気吸着剤のスラリーに含浸することによって湿気吸着剤を担持し、その後他方端から湿気吸着剤のスラリーを吹き付けることによって作られた請求項１記載の除湿ロータ。
【請求項３】
湿気吸着剤を漉き込まれたシートをハニカム状に形成し、その後他方端から湿気吸着剤のスラリーを吹き付けることによって作られた請求項１記載の除湿ロータ。
【請求項４】
湿気吸着剤はゼオライトである請求項１、請求項２あるいは請求項３の何れかに記載の除湿ロータ。
【請求項５】
ハニカム状に形成されたシートに湿気吸着剤の担持されたものであって、一方端から他方端に向かってシート単位面積当たりの前記吸着剤の担持量が増加するようにした除湿ロータを有し、前記除湿ロータの他方端に輻射熱が当たるように設置した前記除湿ロータの脱着ヒータを有する除湿装置。
【発明の詳細な説明】
【０００１】
【発明の属する技術分野】
本発明は、たとえばゼオライトやシリカゲルなどの湿気吸着剤を用いた除湿ロータ及びそれを用いた除湿装置に関するものである。
【０００２】
【従来の技術】
除湿ロータを用いた除湿装置は冷凍機に比較して特に２０℃程度以下の低温でも性能を発揮できることから、冬季の結露防止などに効果を発揮することができる。またフロンなどの冷媒を用いないため廃棄時の環境負荷が小さいなどの理由によって普及が進みつつある。
【０００３】
一方でこのような除湿装置の消費エネルギーを減少させる技術も種々開発されており、例えば特許文献１に開示されたものは除湿ロータのフルート（細孔）を除湿ロータの軸に対して斜めに形成することによって除湿ロータの湿気吸着効率を上げ、全体的な効率を向上させようとするものである。
【０００４】
【特許文献１】
特開２０００−２１８１２７号公報
【０００５】
【発明が解決しようとする課題】
以上説明の特許文献１に開示されたものでも、除湿装置の効率は向上するのであるが、除湿ロータの製造が煩雑になり除湿ロータのコストが上昇するという問題がある。
【０００６】
本発明は以上の問題に着目してなされたものであり、除湿ロータの価格を下げつつ除湿効率を向上させた除湿ロータ及びそれを用いた除湿装置を提供しようとするものである。
【０００７】
【課題を解決するための手段】
本件発明は以上のような課題を解決するため、ハニカム状に形成されたシートに湿気吸着剤を担持させ、ハニカム状除湿ロータの一方端から他方端に向かってシート単位面積当たりの吸着剤の担持量が増加するようにした。
【０００８】
【発明の実施の形態】
本発明の請求項１に記載の発明は、ハニカム状に形成されたシートに湿気吸着剤の担持されたものであって、一方端から他方端に向かってシート単位面積当たりの前記吸着剤の担持量が増加するようにしたものであり、除湿ロータの脱着の際に脱着ヒータの輻射熱が当たる部分だけ湿気吸着剤の量を増やし、除湿ロータ全体としては湿気吸着剤の量が少なくても所定の湿気交換能力を発揮させるとともに、除湿ロータ全体の質量を減少させて熱容量を少なくし、除湿装置全体の効率を改善するという作用を有する。
【０００９】
【実施例】
以下本発明の除湿ロータ及びそれを用いた除湿装置の実施例について図に沿って詳細に説明する。
【００１０】
図１は本発明の除湿ロータの部分拡大断面図、図２は除湿ロータの斜視図である。図１、図２において１は除湿ロータであり、ゼオライトやシリカゲルなどの湿気吸着剤を担持したシートをハニカム（蜂の巣）状に成形したものである。
【００１１】
ここで湿気吸着剤を担持したシートとは、湿気吸着剤を抄紙する段階で漉き込んでその紙をハニカム状に成形したり、耐熱性を有するシートをハニカム状に成形した後に湿気吸着剤を担持したものの両方、あるいはその他の方法で結果として湿気吸着剤が担持された状態でハニカム状になっているシートを意味する。
【００１２】
図１において、２は除湿ロータ１を構成するシートであり、このシート２には上記のように湿気吸着剤が担持されている。３は後付けでシート２に担持された湿気吸着剤で、例えばゼオライトのスラリーを除湿ロータ１の片方の端面側からのみ吹き付けることによって担持される。
【００１３】
このようにすることによって、湿気吸着剤３の付着厚みは除湿ロータ１の一方端から他方端に向かって厚くなる。以上の除湿ロータ１を用いた除湿装置を以下説明する。
【００１４】
図３は本発明の除湿装置の要部斜視図、図４は同フロー図である。４は電気ヒータであり、除湿ロータ１の脱着ゾーン５に近接して設けられている。６は脱着ブロアであり、脱着空気循環路７内の空気を循環させるものである。
【００１５】
８は顕熱交換器であり、脱着空気循環路７内に設けられ脱着ゾーン５を出た高温多湿空気が流れる。また顕熱交換器８を出た空気は脱着ブロア６の吸い込み口に入る。つまり脱着ブロア６→電気ヒータ４→脱着ゾーン５→顕熱交換器８→脱着ブロア６の空気循環路７が構成される。
【００１６】
９は処理ブロアであり、被処理空気を除湿ロータ１の吸着ゾーン１０へ送るものである。また処理ブロア９によって送られる被処理空気は顕熱交換器８を通過して脱着ゾーン５を出た高温多湿空気を冷却する。これによって高温多湿空気に含まれる湿気の一部は顕熱交換器８内で凝縮し、結露水となって顕熱交換器８から流出し、ドレンパン１１に溜まる。
【００１７】
処理ブロア９によって送られた被処理空気は顕熱交換器８を通過して温度が少し上昇し、吸着ゾーン１０を通過して乾燥空気となって室内に放出される。
【００１８】
以上の除湿装置による除湿動作中、脱着ブロア６によって送られた空気は電気ヒータ４によって温度が上昇し、除湿ロータ１に吸着された湿気を脱着するが、同時に電気ヒータ４からの輻射熱が図１に示すように除湿ロータ１を加熱する。
【００１９】
この時に除湿ロータ１の電気ヒータ４からの輻射熱が当たる部分は湿気吸着剤が多く付着し、この部分の吸着能力が高くなっているが、その輻射熱によって効果的に脱着される。特に輻射熱は除湿ロータ１の他方端から当てられると、一方端に向かって次第に弱くなるが、湿気吸着剤は吹き付けによって付着されており、一方端から他方端に向かってシート単位面積当たりの吸着剤の担持量が多く付着されており、輻射熱の強い部分ほど、湿気吸着剤が多くなる。
【００２０】
以上の例では除湿ロータ１を構成するシートとして湿気吸着剤の漉き込まれたものを示したが、これ以外に湿気吸着力のある材料をシート状に形成したものや、セラミック繊維紙やガラス繊維紙に水ガラスをしみ込ませ、その水ガラスを酸処理などしてシリカゲルを合成する方法によっても実現することができる。
【００２１】
シリカゲルを合成したシート上にゼオライトのスラリーを吹き付けて得た除湿ロータ１は次のような特徴がある。つまり一般にシリカゲルよりもゼオライトの方が耐熱性は高く、シリカゲルの方が湿気の吸着容量は大きい。この吸着容量の大きなシリカゲルを最も温度の高くなる部分だけ、耐熱性の高いゼオライトで覆うことによって、両方の材料の特長を生かすことができる。
【００２２】
さらに以上の実施例では湿気吸着剤のスラリーを吹き付ける例を示したが、湿気吸着剤のスラリーを浅い容器に入れておき、その容器内に除湿ロータを入れることによって一端部付近だけスラリーを付着させたり、湿気吸着剤のスラリーを塗布ローラによって一端部付近だけ塗布したりすることができる。
【００２３】
【発明の効果】
本発明の除湿ロータを用いた除湿装置は上記の如く構成したので、脱着用のヒータの輻射熱を有効に活用することができ、より効率を上げることができるものである。
【００２４】
さらに本発明の除湿ロータは、ゼオライトのスラリーを吹き付けるという簡単な方法で得ることができるため、生産性が高く安価に量産することができる。特に高価なゼオライトを厚く塗布するのは部分的であるため、全体として安価に生産することができる。
【００２５】
また、本発明除湿ロータは湿気吸着剤が厚くなっているのは一部であるため、全体的に重量が軽く、熱容量も小さくなるため脱着に際して少ない熱エネルギーでも温度が上昇し、これを用いた除湿装置は消費エネルギーを小さくすることができる。
【図面の簡単な説明】
【図１】本発明の除湿ロータの実施例１を示す拡大断面図である。
【図２】本発明の除湿ロータの一例を示す斜視図である。
【図３】本発明の除湿装置の部分斜視図である。
【図４】本発明の除湿装置のフロー図である。
【符号の説明】
１    除湿ロータ
２    シート
３    湿気吸着剤
４    電気ヒータ
５    脱着ゾーン
６    脱着ブロア
７    空気循環路
７    脱着空気循環路
８    顕熱交換器
９    処理ブロア
１０    吸着ゾーン
１１    ドレンパン
【図１】
2005013903.tif 000003
【図２】
2005013903.tif 000004
【図３】
2005013903.tif 000005
【図４】
2005013903.tif 000006